(57)【要約】 【課題】携帯電話等の小物を、必要時に、迅速に取り出して使用できると共に、形態時に内部に収納した小物がポケットから出てしまうことのない改良されたバッグのポケット部構造を提供する。【解決手段】  バッグに設けられたポケット部構造であって、バッグ本体を形成する表皮材と、前記表皮材との間に収納部を形成するポケット形成表皮材とを備え、前記収納部内方上端部には、収納部下方に向かう自由端部を有する内方閉止片部が設けられている。【選択図】  図１
2018061722.tif 000002
【特許請求の範囲】
【請求項１】
バッグに設けられたポケット部構造であって、バッグ本体を形成する表皮材と、前記表皮材との間に収納部を形成するポケット形成材とを備え、前記収納部内方上端部には、前記収納部下方に向かう自由端部を有する内方閉止片部が設けられていることを特徴とするポケット部構造。
【請求項２】
前記ポケット部は所定の深さ寸法を有して形成され、前記内方閉止片部は、前記収納部の幅方向に全域に設けられていることを特徴とする請求項１記載のポケット部構造。
【請求項３】
前記内方閉止片部は細長帯状に形成され、上端部及び両端部が前記表皮材に縫合固定されていることを特徴とする請求項１記載のポケット部構造。
【請求項４】
前記ポケット部は前記バッグ本体の外表面部に設けられていることを特徴とする請求項１記載のポケット部構造。
【発明の詳細な説明】
【技術分野】
【０００１】
本発明は、ポケット部構造の改良に関する。
【背景技術】
【０００２】
一般に、バッグを携帯する場合に、携帯電話等の、必要時にすぐ取り出して使用したい様々な小物を収納しておきたい、という要請がある。
しかしながら、従来のバッグにはバッグ内部に様々なポケット部が設けられてはいるが、内部に設けられたポケット部内に収納した小物を取り出そうとした場合には、収納部全体の開口部を閉止するファスナー部を開放した後に、収納部内部に手を入れ、複数あるポケット部から必要な小物を取り出す必要があり、非常に煩雑であると共に迅速に小物を取り出すことができない、という不具合があった。
【０００３】
また、バッグの外面部に小物を収納できるポケット部を設けたバッグも多く使われているが、フラップ等で開口部を着脱可能に被覆する構造となっており、必要時にはフラップを開き、内部の小物を取り出す必要があり、同様に迅速な取り出しができなかった。一方、単に、フラップを設けないポケット部として構成した場合には、内部に収納した小物が携帯の途中で脱落する可能もあり、適当ではない。
【０００４】
このような観点から本件出願人は過去の特許文献を調査した、以下の特許文献を抽出した（特許文献１）。この特許文献所載の技術にあっても同様の効果を得ることは可能であるが、本件出願に係る発明は、携帯時に、内部に収納した小物がポケットから出てしまう可能性がなく、かつ、必要時に取り出しやすい改良されたポケット部構造を提供するために発明された。
【先行技術文献】
【特許文献】
【０００５】
【特許文献１】実用新案登録第３１６５９６４号公報
【発明の概要】
【発明が解決しようとする課題】
【０００６】
本発明はこのような従来からの不具合を解決するためのものであって、その課題は、携帯電話等の小物を、必要時に、迅速に取り出して使用できると共に、形態時に内部に収納した小物がポケットから出てしまうことのない改良されたバッグのポケット部構造を提供する。
【課題を解決するための手段】
【０００７】
前記課題達成のため、請求項１記載の発明にあっては、バッグに設けられたポケット部構造であって、バッグ本体を形成する表皮材と、前記表皮材との間に収納部を形成するポケット形成表皮材とを備え、前記収納部内方上端部には、収納部下方に向かう自由端部を有する内方閉止片部が設けられていることを特徴とする。
【０００８】
従って、請求項１記載の発明にあっては、ポケット部に個人携帯電話等の小物を収納した場合には、バッグ携帯時にバッグが揺れ、収納部内で小物が上下動した場合であっても、前記内方閉止片部の自由端部に引っ掛かり、前記自由端部と前記表皮材との間に捉えられるため収納部内の小物は収納部から外方へ出てしまうことはない。
【０００９】
請求項２記載の発明にあっては、前記ポケット部は所定の深さ寸法を有して形成され、前記内方閉止片部は、前記収納部の幅方向に全域に設けられていることを特徴とする。従って、収納部内に収納された小物はポケット部の幅方向全域に亘って、開口部から外方への流出は規制される。
【００１０】
請求項３記載の発明にあっては、前記内方閉止片部は細長帯状に形成され、上端部及び両端部が前記表皮材に縫合固定されていることを特徴とする。
請求項３記載の発明にあっては、前記内方閉止片部の両端部の間に形成される自由端部が内部に収納された小物の規制片部として機能する。
請求項４記載の発明にあっては、前記ポケット部はバッグ本体の外表面部に設けられていることを特徴とする。従って、請求項４記載の発明にあっては、バッグ本体の外部に設けられたポケット部に小物を収納し、バック携帯時にバッグが揺れた場合であっても、小物は前記内方閉止片部により規制されて収納部の開口部から出てしまうことはない。
【発明の効果】
【００１１】
請求項１記載の発明にあっては、バッグ本体を形成する表皮材と、前記表皮材との間に収納部を形成するポケット形成表皮材とを備え、前記収納部内方上端部には、収納部下方に向かう自由端部を有する内方閉止片部が設けられていることから、ポケット部に個人携帯電話等の小物を収納した場合には、バッグ携帯時にバッグが揺れ、収納部内で小物が上下動した場合であっても、前記内方閉止片部の自由端部と表皮材との間に引っ掛かって捉えられ、収納部内の小物は収納部から前記表皮材及びポケット形成表皮材とにより形成される開口部を介して外方へ出てしまうことはない。その結果、携帯時において揺れた場合にあっても小物を確実に収納しておくことが可能となると共に、小物を取り出す際には容易に取り出すことが可能となる。
【００１２】
従って、請求項１記載の発明にあっては、携帯時に揺れた場合であっても小物が飛び出さないと共に、必要時には収納されている小物を取り出しやすいバッグのポケット部構造を提供することができる。
また、従来よりリーズナブルな価格で販売したいという要請の一方で高騰し続ける国内生産の環境があったが、その解決方法として、請求項１記載の発明にあっては、不良の出にくい構造と縫製しやすさと、工程数削減による縫製コストを抑えることが実現できる。
【００１３】
請求項２記載の発明にあっては、前記ポケット部は所定の深さ寸法を有して形成され、前記内方閉止片部は、前記収納部の幅方向に全域に設けられており、収納部内に収納された小物はポケット部の幅方向全域に亘って、開口部から外方への流出は規制されることから、より確実にポケット部内に小物を収納できるバッグのポケット部構造を提供することが可能となる。
【００１４】
請求項３記載の発明にあっては、前記内方閉止片部は細長帯状に形成され、上端部及び両端部が前記表皮材に縫合固定されていることから、前記内方閉止片部の両端部の間に形成される自由端部が内部に収納された小物の規制片部として機能し、より確実に収納された小物の飛び出しを規制することが可能となる。
【００１５】
請求項４記載の発明にあっては、前記ポケット部はバッグ本体の外表面部に設けられていることを特徴とする。従って、請求項４記載の発明にあっては、バッグ本体の外部に設けられたポケット部に小物を収納し、バック携帯時にバッグが揺れた場合であっても、小物は前記内方閉止片部により規制されて収納部の開口部から出てしまうことはない。
従って、請求項４記載の発明にあっては、携帯電話等の使用頻度の高い小物を飛び出すことのないように収納し、かつ取り出しやすいバッグのポケット部構造を提供することができる。
【図面の簡単な説明】
【００１６】
【図１】本発明に係るバッグのポケット部構造の一実施の形態を示す斜視図である。
【図２】本発明に係るバッグのポケット部構造の一実施の形態を示す斜視説明図である。
【図３】本発明に係るバッグのポケット部構造の一実施の形態を示す斜視説明図である。
【発明を実施するための形態】
【００１７】
以下、添付図面に示す実施の形態に基づき、本発明を詳細に説明する。
図１に示すように、本実施の形態に係るポケット部構造は、ハンドバッグ１０のバッグ本体１１の外表面部に設けられている。即ち、図１に示すように、バッグ本体１１のマチ部１２の外側面部にマチ部１２の幅方向全域に亘ってポケット部１３が設けられている。
【００１８】
このポケット部１３は、バッグ本体１１を形成する合成樹脂製の表皮材１４と、表皮材１４との間に携帯電話等の小物１９を収納しうる収納部１５を形成する合成樹脂製のポケット形成材１６とを備え、側面略長方形状に形成されており、上端部には、ファスナー等の閉止部材が設けられていない開口部１７が形成されている。
【００１９】
そして、本実施の形態にあっては、図２に示すように、収納部１５の内方上端部には、収納部下方に向かう自由端部２０を有する内方閉止片部１８が収納部１５の幅方向全域に亘って設けられている。内方閉止片部１８は細長帯状に形成され、上端部１８ａ及び両端部１８ｂが表皮材１４に縫合固定されている。従って、自由端部２０はマチ部１２の幅方向全域に亘って縫合固定されておらず、自由端部２０と表皮材１４との間には僅かながら空隙が形成されている。
【００２０】
従って、本実施の形態に係るハンドバッグ１０を使用した場合には、マチ部１２の外表面部に設けられている収納部１５内に携帯電話等の小物１９を開口部１７を介して容易に収納することできる。
また、小物１９を収納した状態でハンドバッグ１０を携帯し、例えば、使用状態によってハンドバッグが上下逆になるような使用態様があった場合には、収納部１５内において小物１９は開口部１７方向に移動するが、この時に、内方閉止片部１８の自由端部２０から内方閉止片部１８と表皮材１４との間の空隙に滑り込みその状態で停止する。従って、小物１９は開口部１７から外方へ出てしまうことはない。
【００２１】
さらに、ハンドバッグ１０の天地を通常の状態に戻して使用した場合には、小物１９は収納部１５内の下方に移動する。そして、この状態で小物１９を取り出したい場合には、開口部１７から手を入れた場合には、内方閉止片部１８の表面部を通過して小物１９を把持して取り出すことができる。
【００２２】
従って、本実施の形態にあっては、小物１９を手軽にバッグ本体１１の外部に設けられた収納部１５内に収納することができると共に、ハンドバッグ１０を持ち歩いた際であっても、内部に収納した小物１９が脱落してしまう事態を有効に防止することができる。そして、使用時にも開口部１７には閉止部材は設けられていないことから、容易かつ迅速に小物２０を取り出すことが可能になる。
【００２３】
本実施の形態にあっては、ポケット部構造をバッグ本体１１の外面部に設けた場合を例に説明したが、本実施の形態に限定されず、バッグ本体１１の内部に設けられた小物収納用のポケットに適用しても良い。
【産業上の利用可能性】
【００２４】
本発明はバッグのポケット部構造に適用できることから、産業上の利用可能性を有している。
【符号の説明】
【００２５】
１０  ハンドバッグ
１１  バッグ本体
１２  マチ部
１３  ポケット部
１４  表皮材
１５  収納部
１６  ポケット形成材
１７  開口部
１８  内方閉止片部
１９  小物
２０  自由端部
【図１】
2018061722.tif 000003
【図２】
2018061722.tif 000004
【図３】
2018061722.tif 000005